(57)【要約】【課題】  一般住宅や個人商店等へも簡単に設置することができ、しかも迅速且つ円滑に初期消火活動を行えると共に高い初期消火効力を備えた家庭用小容量消火栓を提供する。【解決手段】水道水供給口１ａを有する貯水タンク１と，貯水タンク１内の水を圧送する加圧ポンプ２と，通路面積切換機構３を管路内に具備すると共に先端部にホースカップリング金具４ａを有し、前記加圧ポンプ２からの水を導出する消火栓管路４と，基端部に前記ホースカップリング金具４ａに着脱自在に嵌合するカップリング金具５ａを有し、先端部にホースノズル５ｂを備えた所定長さの保形ホース５と，前記加圧ポンプ２の運転を制御する制御盤６とから成り、前記消火栓管路４の通路面積切換機構３により、放水開始から一定時間の間は抑制水量で放水を行うと共に、一定時間経過後は鎮火水量で放水を長時間行う。【選択図】      図１
2013022337.tif 000002
【特許請求の範囲】
【請求項１】
水道水供給口を有する貯水タンクと，貯水タンク内の水を圧送する加圧ポンプと，通路面積切換機構を管路内に具備すると共に先端部にホースカップリング金具を有し、前記加圧ポンプからの水を導出する消火栓管路と，基端部に前記ホースカップリング金具に着脱自在に嵌合するカップリング金具を有し、先端部にホースノズルを備えた所定長さの保形ホースと，前記加圧ポンプの運転を制御する制御盤とから成り、前記消火栓管路の通路面積切換機構により、放水開始から一定時間の間は抑制水量でので放水を行うと共に、一定時間経過後は鎮火水量で放水を長時間行う構成としたことを特徴とする家庭用消火栓。
【請求項２】
通路面積切換機構を電磁弁を備えた第１分流路とこれに並列に連結した同口径の第２分流路とから形成し、電磁弁の開放により両分流路を通して抑制水量の水を流通させると共に、電磁弁の閉鎖により第２分流路を通して鎮火水量の水を流通させる構成とした請求項１に記載の家庭用消火栓。
【請求項３】
水道水供給口をボールタップバルブ付きの水道水供給口とし、また前記貯水タンクからの放水を流量６０Ｌ／分以上の抑制水量で１分間以上行うと共に、流量３０Ｌ／分以上の鎮火水量で長時間行う構成とした請求項１に記載の家庭用消火栓。
【請求項４】
貯水タンクの内容積を４０Ｌ〜６０Ｌとすると共に、水道水供給口から流量３０Ｌ／分以上で水道水を補給する構成とした請求項３に記載の家庭用消火栓。
【請求項５】
保形ホースを、長さ５〜１０ｍ及び呼び径２０〜２５Ａの保形ホースとした請求項１に記載の家庭用消火栓。
【請求項６】
通路面積切換機構を消火栓管路に介設した電磁弁とし、当該電磁弁の全開時に抑制水量による放水を、また、電磁弁の半開時に鎮火水量による放水を行うようにした請求項１に記載の家庭用消火栓。
【請求項７】
貯水タンクに設けた第２水位センサにより検出した流量切換水位の検出信号若しくは制御盤に設けたタイマからの動作開始信号により、電磁弁の開閉駆動を制御するようにした請求項３又は請求項６に記載の家庭用消火栓。
【請求項８】
水道水供給口を有する貯水タンクと，貯水タンク内の水を圧送する加圧ポンプと，先端部にホースカップリング金具を有し、前記加圧ポンプからの水を導出する消火栓管路と，基端部に前記ホースカップリング金具に着脱自在に嵌合するカップリング金具を有し、先端部にホースノズルを備えた所定長さの保形ホースと，前記加圧ポンプの運転を制御する制御盤とから成り、前記制御盤からの制御信号により加圧ポンプの回転数を切換えするか、若しくはホースノズルの放水量を切換することにより、放水開始から一定時間の間は抑制水量で放水を行うと共に、一定時間の経過後は鎮火水量で放水を長時間行う構成としたことを特徴とする家庭用消火栓。
【発明の詳細な説明】
【技術分野】
【０００１】
本発明は、屋内消火栓の改良に関するものであり、貯水タンク等の小型・軽量化により一般住宅や事務所内に容易に設置することができると共に、高い操作性と優れた初期消火機能を発揮できるようにした家庭用消火栓に関するものである。
【背景技術】
【０００２】
オフィスビルディングや各種工場等に設置されている屋内消火栓は、防災活動の重要な一面を担うものであり、高い公益性を有するものである。
そのため、屋内消火栓の機能や構造については消防法により厳格に規制されており、例えば１号消火栓では、放水量１３０リットル／分（以下Ｌ／分と表す）以上及び貯水量５．２立方メートル以上の容量を、また、２号消火栓では、放水量６０Ｌ／分以上及び貯水量２．４立方メートル以上の容量を、夫々具備した加圧ポンプ設備及び貯水設備の設置が求められている。
尚、上記貯水タンクの容量は、消火栓２基を２０分間以上連続運転するものとして算定されている。
【０００３】
図３は、公知の屋内消火栓の一例を示すものであり、箱状の本体１２及び蓋体１３からなる消火栓箱１１と、消火栓箱１１の内部に設けたバルブ１４と、バルブ１４に接続された長尺の保形ホース１５等から屋内消火栓が構成されており、別途に設けた水槽から加圧ポンプ（図示省略）により消火水が放水ノズル１６へ圧送されて来る。
【０００４】
ところで、この種の従前の屋内消火栓は、消火栓箱１１自体が比較的大型であるうえ、２号消火栓（６０Ｌ／分・２０分以上放水）であっても容量２．４立方メートル以上の貯水タンクを必要とし、一般住宅や小売商店、事務所等に簡単に設置することができず、仮に２号消火栓を設置するとしても大掛りな建物の改修が必要となる。
そのため、一般の個人用住宅や個人商店に屋内消火栓が設置されることは殆ど無く、所謂、初期消火は家庭用消火器の利用や水道ホースによる放水により多く行われている。
【０００５】
しかし、家庭用消火器や水道ホースによる放水では，可燃材の多い一般住宅等の火災に於いて十分な初期消火効果を挙げることが困難であり、初期消火の失敗から広域火災へ移行すると云う事例が多数存在する。
【０００６】
一方、本願出願人等は、上記一般住宅等に於ける初期消火に係る問題を解決するため、数年間に亘って水を消火剤として用いた様々な初期消火実験を積み重ねると共に、得られた初期消火実験結果の解析を行って来た。
【０００７】
また、本願発明者等は、上記初期消火実験結果の解析から、一般住宅等の火災には下記（イ）及び（ロ）のような共通の事象があることを知得した。
（イ）初期消火に必要な水量は、発火から放水開始までの時間が短いほど、短時間内に小量の放水でもって消火ができること。
（ロ）消火可能な火災状態であれば、消火開始（放水開始）から１分以内に概ね火勢を抑えることができるが、その後の残火処理に時間が掛かること。
【０００８】
即ち、水を消火剤とする場合には、可能な限り早期に放水を開始することにより、約６０Ｌ／分程度の放水量（以下、抑制水量と云う）でもって約１分間放水することにより、概ね火勢の抑制が可能であり、それ以後は、少量の放水（以下、鎮火水量と云う）でもって残火処理を行うことにより、完全消火が可能なことが判明した。
【先行技術文献】
【特許文献】
【０００９】
【特許文献１】特開２００４−２３６９１８号公報
【発明の概要】
【発明が解決しようとする課題】
【００１０】
本願発明は、従前のこの種屋内消火栓に於ける上述のような問題、即ち、消火栓箱が比較的大型なうえ、少なくとも２．４立方メートルトン以上の容量の貯水タンクを必要とするため、一般住宅や個人商店等の小規模建物へは適用が困難で、現実に屋内消火栓の設置が殆ど行われていないこと、ロ．可搬型消火器や家庭用散水ホースによる水道水の放水では、有効な初期消火の達成が困難で、初期消火の失敗により大火災に至るケースが多いこと等の問題を解決せんとするものであり、操作が簡単で、しかも建物に大掛りな改修を必要とせずに簡単に設置できると共に、早期放水と放水開始後一定時間の間の抑制水量の放水を可能とすることにより、小容量の貯水タンクを備えた小型消火栓でもって確実に初期消火を達成できるようにした家庭用消火栓を提供するものである。
【課題を解決するための手段】
【００１１】
請求項１の発明は、水道水供給口１ａを有する貯水タンク１と，貯水タンク１内の水を圧送する加圧ポンプ２と，通路面積切換機構３を管路内に具備すると共に先端部にホースカップリング金具４ａを有し、前記加圧ポンプ２からの水を導出する消火栓管路４と，基端部に前記ホースカップリング金具４aに着脱自在に嵌合するカップリング金具５ａを有し、先端部にホースノズル５ｂを備えた所定長さの保形ホース５と，前記加圧ポンプ２の運転を制御する制御盤６とから成り、前記消火栓管路４の通路面積切換機構３により、放水開始から一定時間の間は抑制水量で放水を行うと共に、一定時間経過後は鎮火水量で放水を長時間行うことを発明の基本構成とするものである。
【００１２】
通路面積切換機構３は、電磁弁３ｂを備えた第１分流路３ｃとこれに並列に連結した同口径の第２分流路３dとから形成し、電磁弁３ｂの開放により両分流路３ｃ，３dを通して抑制水量の水を流通させると共に、電磁弁３ｂの閉鎖により第２分流路３dを通して鎮火水量の水を流通させる構成とするのが望ましい。
【００１３】
貯水タンク１は、その水道水供給口１ａにボールタップバルブ１ｂを備えたものとし、また前記貯水タンク１からの放水は、流量６０Ｌ／分以上の抑制水量で１分間以上行うと共に、流量３０Ｌ／分以上の鎮火水量で長時間行うのが望ましい。
【００１４】
貯水タンク１の内容積は、これを４０Ｌ〜６０Ｌとすると共に、水道水供給口１ａから流量３０Ｌ／分以上の水道水を常時補給するのが望ましい。
【００１５】
保形ホース５は、長さ５〜１０ｍ及び呼び径２０〜２５Ａの保形ホースとするのが良い。
【００１６】
通路面積切換機構３は、消火栓管路４に介設した電磁弁３bによる構成とし、当該電磁弁３bの全開時に抑制水量による放水を、また電磁弁３bの半開時に鎮火水量による放水を行うようにしてもよい。
【００１７】
消火栓管路４に設けた電磁弁３ｂは、貯水タンク１に設けた第２水位センサ１ｄにより検出した流量切換水位の検出信号若しくは制御盤に設けたタイマからの動作開始信号により、その開閉を制御するのが望ましい。
【００１８】
請求項８の発明は、水道水供給口１ａを有する貯水タンク１と，貯水タンク１内の水を圧送する加圧ポンプ２と，先端部にホースカップリング金具４ａを有し、前記加圧ポンプ２からの水を導出する消火栓管路４と，基端部に前記ホースカップリング金具４ａに着脱自在に嵌合するカップリング金具５ａを有し、先端部にホースノズル５ｂを備えた所定長さの保形ホース５と，前記加圧ポンプ２の運転を制御する制御盤６とから成り、前記制御盤６からの制御信号により加圧ポンプ２の回転数を切換えするか、若しくはホースノズル４ｂの放水量を切換することにより、放水開始から一定時間の間は抑制水量で放水を行うと共に、一定時間の経過後は鎮火水量で放水を長時間行うことを発明の基本構成とするものである。
【発明の効果】
【００１９】
本発明では、貯水タンクを小容量とすると共に常時水道水を補給し得る構成とし、消火開始直後は一定時間抑制水量での放水を行い、その後は鎮火水量でもって放水を行うようにしている。そのため、貯水タンクや加圧ポンプの小型化が可能となり、一般住宅の洗面所や台所、風呂場等へ容易に設置することが出来る。
【００２０】
また、制御盤を介して加圧ポンプの運転や消火栓管路の通路面積の切換が自動的に行えるため、消火放水の開始に要する時間が大幅に短縮され、しかも放水流量の切換を円滑に行うことができる。その結果、限られた水量の放水でもってより有効な初期消火を達成することができる。
【００２１】
更に、消火栓を構成する加圧ポンプや貯水タンクの小容量化及び小型コンパクト化により、消火栓の製造コストや施工コスト、消費電力、消費水量等の削減が可能となる。
【図面の簡単な説明】
【００２２】
【図１】本発明の実施形態に係る家庭用消火栓の構成を示す全体系統図である。
【図２】制御盤の正面図である。
【図３】従前の屋内消火栓で用いられている。消火栓箱の斜面図である。
【発明を実施するための形態】
【００２３】
以下、図面に基づいて本発明の実施形態を説明する。
図１は、本発明の実施形態に係る家庭用消火栓の全体系統図であり、当該家庭用消火栓Ａは貯水タンク１と加圧ポンプ２と通路面積切換機構３を有する消火栓管路４と保形ホース５と制御盤６等から形成されている。
【００２４】
前記貯水タンク１は水道吸水口１ａ、ボールタップバルブ１b、第１水位センサ１ｃ、第２水位センサ１ｄ等から構成されており、また、貯水タンク１はステンレス鋼やエンジニアリングプラスチック等により適宜の形態、例えば四角状や台形状に形成されている。
【００２５】
当該貯水タンク１の内容積は、１本の保形ホース５から６０Ｌ／分の流量で一分間以上放水できるだけの水量を貯水できる容量を備えており、本実施形態においては内容積４０Ｌ〜６０Ｌの貯水タンク１が使用されている。
【００２６】
即ち、水道水の一般的な給水流量は３０Ｌ／分程度であるため、加圧ポンプ２の起動により放水が始まると、これと同時にボールタップバルブ１ｂが開放されて、貯水タンク１内へ水道水が補給される。
その結果、いま、貯水タンク１の容量を４０Ｌとして、６０Ｌ／分で１分間放水されたとすると、６０Ｌの貯留水が抜き出されると共に、その間に３０Ｌ／の水道水が補給されることになり、１分後には貯水タンク１内に約１０Ｌの水が残留する状態となる。以後、放水量が６０Ｌ／分から３０Ｌ／分に切換ることにより、放水量（３０Ｌ／分）と水道水の補給量（３０Ｌ／分）とが均衡して貯水タンク１内には１０Ｌの水が常時貯留された状態となる。その結果、貯水タンク１の総内容積は、少なくとも４０Ｌ以上であれば十分と言える。
【００２７】
現実には、第１水位センサ１ｃでポンプ停止水位ＬＰＳを、また、第２水位センサ１ｄで流量切換水位ＬＷＳを検出し、満水位置から流量切換水位ＬＷＳまで水位が下降するまでは、放水時間が１分以上であっても流量６０Ｌ／分の割合で放水をし、その後、流量切換機構３により放水流量を６０Ｌ／分から３０Ｌ／分に切換るようにしている。
【００２８】
前記加圧ポンプ２は流量６０Ｌ／分、放水圧０．１５〜０．２５MPa程度の放水能力を有する電動ポンプ（ＡＣ１００Ｖ、５００〜１ｋｗ）であり、公知の家庭用電動ポンプが使用されている。
【００２９】
前記通路面積切換機構３は、ボール弁３ａと電磁弁３ｂを備えた第１分流路３ｃと，ボール弁３aを有する第２分流路３ｄを並列に組み合せたものであり、その入口側は加圧ポンプ２へ、またその出口側は消火栓管路4へ連結されている。
尚、ボール弁３ａの代わりに通路面積を一定にするためのオリフィスに換えても良い。
【００３０】
即ち、制御盤６からの制御信号により電磁弁３ｂを開放することにより、第１分流路３ｃは導通され、加圧ポンプ２からの水は第１分流路３c及びこれと同口径の第２分流路３dを通して消火栓管路へ送られ、合計６０Ｌ／分以上の流量の消火水が消火栓管路４へ流通する。
【００３１】
また、制御盤６からの制御信号により電磁弁３ｂが閉鎖されると、消火水は第２分流路３ｅを通して流通され、その流量が約半分（３０Ｌ／分）に低下する。
【００３２】
前記消火栓管路４は加圧ポンプ２からの消火水を通路面積切換機構３を経て保形ホース５へ流通させるものであり、本実施形態では２０〜２５Ａの合成樹脂管が使用されている。尚、当該消火栓管路４の末端には、前記保形ホース５側のカップリング金具５ａに着脱自在に嵌合するホースカップリング金具４ａが固定されている。尚、７は圧力計である。
【００３３】
前記保形ホース５は、所謂公知の保形ホースであり、通常は住居内の適宜の箇所に巻取り状で保管されており、その基端部にはカップリング金具５ａが、またその先端部には放水ノズル５ｂが夫々設けられている。
尚、本実施形態に於いては、長さ５〜１０ｍ、呼び径２０〜２５Aの公知の保形ホースが使用されている。
【００３４】
前記制御盤６は加圧ポンプ２の起動・停止や消火水の放水量の切換制御を行うものであり、図２に示す如く電源表示ランプ６ａ、ポンプ運転表示ランプ６ｂ、高放水量表示ランプ６ｃ、低放水量表示ランプ６ｄ、電源スイッチ６ｅ、ポンプ起動スイッチ６ｆ、ポンプ停止スイッチ６ｇ、電源供給口６ｈ等が設けられている。
また、必要に応じて遠隔操作用の起動・停止スイッチ８を適宜箇所に設けるようにしてもよい。
また、より初期消火開始時間を早める為に、ホース収納部の扉の開放、ホースの取り出し、などの操作と連動して起動する機構を設けてもよい。尚、９はホースの取り出し等と連動するマイクロスイッチである。
【００３５】
上記貯水タンク１や加圧ポンプ２、通路面積切換機構３等は、一般住宅の洗面ユニット（図示省略）の格納部に収納したり、或いはバスルーム、台所等に適宜に設置される。
【００３６】
また、保形ホース５は、通常は貯水タンク１の近傍に格納、保管されるが、必要に応じて、２階部分にも別途に格納、保管することも可能である。尚、この場合には消火栓管４の末端を分岐し、その一方を２階部分の適宜箇所まで延設しておくと共に、その末端近傍に遠隔操作用の起動・停止スイッチ８を設けておくのが望ましい。
【００３７】
次に、本発明に係る家庭用消火栓の作動について説明する。
消火活動に際しては、先ず保形ホース５を取り出す。保形ホース５は、あらかじめ、その基端部のカップリング金具５aを消火栓管路４側のホースカップリング４ａへ差し込み、消火栓管４と保形ホース５とを連結してあるものとする。
次に、ポンプ起動スイッチ６ｆを押し、加圧ポンプ２を起動する。尚、この時、第１分流路３ｃの電磁弁３ｂは開放された状態となっており、その結果、通路面積切換機構３の両分流路３ｃ、３ｄは流通状態にあり、消火栓管路４の通路面積は大面積となっている。
尚、前記ポンプ起動スイッチ６ｆを押す操作の代わりに、ホース収納部の扉の開放、ホースの取り出し、などの操作と連動して起動してもよい。また、必要に応じて設置された遠隔操作用の起動・停止スイッチ８を操作して起動してもよい。
【００３８】
その後、保形ホース５を引き延ばし、ホースノズル５ｂから消火水を火災地点へ向けて放出する。
【００３９】
放水開始から少なくとも１分間以上は、前記両分流路３ｃ、３ｄが開放されているため、消火水は通路面積が大面積状態にある消火栓管路４を通して６０Ｌ／分以上の流量（抑制水量）で放出される。放水時間が１分間以上経過すると、貯水タンク１内の水面が流量切換水位ＬＷＳまで下降することにより、第２水位をセンサ１ｄの作動を介して制御盤６からの切換信号が発信され、電磁弁３ｂが閉鎖される。
その結果、通路面積切換機構３の部分の通路面積が約半分になり、その結果、流量約３０Ｌ／分の消火水が第分２流路３ｄを通して保形ホース５へ流入する。
【００４０】
尚、放水開始時間を可能な限り早期に行うと、流量６０Ｌ／分の消火水を約１分間連続放水することにより、殆どの火災は、その火炎若しくは火勢を抑え込まれることになる。
【００４１】
また、貯水タンク１へは水道水が約３０Ｌ／分の流量（鎮火水量）でボールタップバルブ１ｂを通して流入するため、流量３０Ｌ／分の鎮火水量放水は長時間連続的に行うことができ、これにより所謂残火処理が行われる。
【００４２】
前記図１の実施形態では、二つの分流路３ｃ、３ｄを組み合せした構成の通路面積切換機構３を用いると共に、その第１分流路３ｃに介設した電磁弁３ｂの開閉切換により抑制水量での放水（６０Ｌ／分）から鎮火水量放水（３０Ｌ／分）への切換を行う構成としているが、通路面積切換機構３を一つの流路とその中に設けた全開−半開型の電磁弁（図示省略）とから構成し、制御盤６からの切換信号により当該電磁弁を全開状態（抑制水量放水）から半開状態（鎮火水量放水）に切換する構成としてもよい。
【００４３】
また、図１の実施形態に於いては、通路面積切換機構３を消火栓管路４内に設け、切換機構３の電磁弁の開閉切換により消火栓管路４の通路面積を変えることにより、放水量を抑制水量から鎮火水量に切換える構成としているが、電磁弁の切換或いは開閉制御に代えて加圧ポンプ２の回転速度を調整したり、或いは加圧ポンプ２の出口側に設けた分岐排水流路を開放して約３０Ｌ／分に相当する余剰水を貯水タンク１内へ戻すようにした構成とすることも可能である。
【００４４】
また、図１に於ける第２水位センサ１dの使用に代えて、制御盤６内にタイマー又はタイマ回路を設け、一定時間（約６０秒）経過後に通路面積切換機構３の電磁弁３b等を開閉切換するようにしても良い。
【００４５】
更に、保形ホース５のホースノズル５ｂをタイマ機構付の放水量自動切換型ノズルや電気信号操作型の放水量自動切換型ノズルとすることにより、放水量の自動切換を行う構成としてもよい。
【産業上の利用可能性】
【００４６】
本発明は個人住宅や個人商店のみならず、広くビル建築や工場等へも適用可能なものである。
【符号の説明】
【００４７】
Ａ  家庭用消火栓
１  貯水タンク
１a  水道水供給口
１b  ボールタップバルブ
１c  第１水位センサ
１d  第２水位センサ
２  加圧ポンプ
３  通路面積切換機構
３a  ボール弁（又はオリフィス）
３b  電磁弁
３c  第１分流路
３d  第２分流路
４  消火栓管路
４a  ホースカップリング金具
５  保形ホース
５a  カップリング金具
５b  ホースノズル
６  制御盤
６a  電源表示ランプ
６b  ポンプ運転表示ランプ
６c  高放水量表示ランプ
６d  低放水量表示ランプ
６e  電源スイッチ
６f  ポンプ起動スイッチ
６g  ポンプ停止スイッチ
６h   電源供給口
７  圧力計
８  遠隔操作用起動・停止スイッチ
９  ホースの取り出し等と連動するマイクロスイッチ等
【図１】
2013022337.tif 000003
【図２】
2013022337.tif 000004
【図３】
2013022337.tif 000005